(57)【要約】      （修正有）【課題】ヨーグルトやハムなどを封入した真空トレイパックにおいて、容器の開口部に密着させてシールしてある蓋を容易に開放できるシール蓋オープン棒を提供する。【解決手段】容器に密着して設けられたシール蓋をはがすためのシール蓋オープン棒１であって、取手２と、この取手２に取り付けられた、断面Ｕ字状の溝を有する長尺の巻き付け体５と、この巻き付け体の溝内に、全長にわたって、又は、ほぼ全長にわたって配置された長尺の保持体４とを備える。また、前記保持体４は、前記溝の両側面及び底面とそれぞれ、シール蓋を挟むことができるすき間を有するように配置されていて、前記保持体４の上面は、ノコギリ歯状に形成されている。【選択図】図１
0003177480.tif 000002
【実用新案登録請求の範囲】
【請求項１】
容器に密着して設けられたシール蓋をはがすためのシール蓋オープン棒であって、取手と、この取手に取り付けられた、断面U字状の溝を有する長尺の巻き付け体と、この巻き付け体の溝内に、全長にわたって、又は、ほぼ全長にわたって配置された長尺の保持体と、を備え、前記保持体は、前記溝の両側面及び底面とそれぞれ、シール蓋を挟むことができるすき間を有するように配置されていて、前記保持体の上面は、ノコギリ歯状に形成されている、ことを特徴とするシール蓋オープン棒。
【請求項２】
前記取手の後端部には、先端が、U字状に湾曲したプルタブオープン用の鉤部材が取り付けられている、ことを特徴とする請求項１記載のシールオープン棒。
【考案の詳細な説明】
【技術分野】
【０００１】
本考案は、溝のある一本の棒と、一方にギザギザ（ノコギリ歯）のある細い棒と、uの字に湾曲した一枚のプレートからなるシール蓋オープン棒に関する。
【背景技術】
【０００２】
ヨーグルトやゼリー、ハムなどの真空トレイパックの製品は、現代の食生活の中で欠かせない食品であり、利用頻度の高いものであるにも関わらず、蓋が開けにくい。
【考案の開示】
【考案が解決しようとする課題】
【０００３】
シールの蓋は容器に密着しており、摘み部分が小さくて、摘みにくく、滑りやすいので、開けるのに苦労する。又、缶詰や１リットルボトルのプルタブも摘みにくく引き上げにくい。本案は、このような不便さを軽減するシール蓋オープン棒を提案することを課題とする。
【課題を解決するための手段】
【０００４】
この問題を解決するためのシール蓋オープン棒は、蓋のつまみ部分が、入り易いように少し先端が平らで、外側へ反り返してある溝のある棒の溝に、一方にギザギザ（ノコギリ歯）の付いている棒に、ギザギザ（ノコギリ歯）の付いていない方をはめ込み、それを取手に差し込む。取手の後部には、先端が湾曲したプレートが取り付けられている。プレートに付いている小さな磁石は、シール蓋オープン棒を紛失しないように、冷蔵庫等の金属にくっつける。すなわち、取手と、この取手に取り付けられた断面U状の溝を有する長尺の巻き付け体と、この巻き付け体の溝内に、全長にわたって、又は、ほぼ全長にわたって配置された長尺の保持体と、を備え、前記保持体は、前記溝の両側面及び底面とそれぞれ、シール蓋を挟むことができる隣間を有するように配置されていて、前記保持体の上面はノコギリ歯状に形成されていることを特徴とするシール蓋オープン棒である。
前記取手の後端部には、先端がU字状に湾曲したプルタブオープン用の鉤部材が取り付けられていることが効果的である。
【考案の効果】
【０００５】
シール蓋（トレイパックなども含む）を開けるときは、それらの蓋の摘み部分をシール蓋オープン棒の溝と、ギザギザ（ノコギリ歯）棒の間にスライドさせて、巻きつけるように手前に引くだけなので、簡単である。また、取手の後ろ部分に取り付けてあるプルタブオープン器は、それぞれのプルタブの穴にプルタブオープン器の湾曲した部分を引っかけて、手前に引くだけなので、指先を痛めず容易に開けることができる。一本あれば、とても便利である。
【図面の簡単な説明】
【０００６】
【図１】シール蓋オープン棒を正面からみた図。
【図２】シール蓋オープン棒を真上からみた図。
【図３】シール蓋オープン棒を後ろからみた図。
【図４】シール蓋オープン棒を分解した図
【図５】シール蓋オープン棒の断面図。
【図６】シール蓋オープン棒を実際にシール蓋の摘み部分に差し込んだ使用図。
【図７】シール蓋オープン棒を実際にシール蓋を巻きつけ開けている使用図。
【図８】シール蓋オープン棒を実際にプルタブに引っかけた使用図。
【図９】シール蓋オープン棒を実際にプルタブを引き上げ開けている使用図。
【図１０】シール蓋オープン棒を実際にビニール製のプルタブに引っかけている使用図。
【図１１】シール蓋オープン棒を冷蔵庫にくっつけて保管してる使用図。
【図１２】シール蓋オープン棒を網棚に引っかけて保管している使用図。
【考案を実施するための形態】
【０００７】
本案はシール蓋の摘み部分１２が入り易いように、先端が少し外側へ反り返してある棒５（巻き付け体）と、ギザギザ（ノコギリ面）のある棒４（保持体）を組み合わせ３取手２に差し込み、取手２の後ろ部分にはプルタブオープン器７（鉤部材）が付いているので、簡単にシール蓋や缶のプルタブ１３を開けることができる。
シール蓋オープン棒１を使用しないときは、プルタブオープン器７（鉤部材）と反対の取手２の部分に磁石１１が付いており、冷蔵庫１５等の金属部分にくっつけて保管できるので、紛失を防げる。又、プルタブオープン器の湾曲部分６を網目部分１６にひっかけてもよい。
【０００８】
シール蓋オープン棒１は、溝のある棒５（巻き付け体）とギザギザ（ノコギリ歯）のある棒４（保持体）の間にシール蓋の摘み部分１２をスライドさせて入れ、クイッと止まったら手前に巻くように引くだけである。また、プルタブオープン器７（鉤部材）は湾曲した先端６を、容器のプルタブ１３に引っかけて引き上げるだけである。ペットボトルのタブは、引っ張ると伸びるので開けにくいので、シール蓋オープン棒１の先端の湾曲した部分６を、プラスティックボトルタブ１３に入れ半回転させる。シール蓋オープン棒１の取手２の背を、ボトルの口に当て、てこの原理を利用すると中身が飛び出ることなく便利である。
【０００９】
プルタブオープン器７（鉤部材）の近くには、磁石１１が付いているので、金属部分にくっつけることができ、紛失を防げる。
【符号の説明】
【００１０】
１  シール蓋オープン棒
２  取手
３  溝のある棒とギザギザのある棒を一体化したもの
４  ギザギザ棒
５  溝のある棒
６  溝のある棒の先端のそり返った部分
７  プルタブオープン器部分
８  プルタブオープン器の先が湾曲したプレート
９  先端が湾曲したプレートをとめるナット
１０  先端が湾曲したプレートをとめるビス
１１  磁石（マグネット）
１２  ヨーグルト等のシール蓋の摘み部分
１３  缶のプルタブ
１４  ボルトのプルタブ
１５  冷蔵庫
１６  ザル等の網目部分
【図７】
0003177480.tif 000003
【図８】
0003177480.tif 000004
【図１】
0003177480.tif 000005
【図２】
0003177480.tif 000006
【図３】
0003177480.tif 000007
【図４】
0003177480.tif 000008
【図５】
0003177480.tif 000009
【図６】
0003177480.tif 000010
【図９】
0003177480.tif 000011
【図１０】
0003177480.tif 000012
【図１１】
0003177480.tif 000013
【図１２】
0003177480.tif 000014